(57)【要約】【課題】本発明は、動作性能を維持しつつ消費電力を削減する。【解決手段】複合装置１は、外部電源部１３１が、外部電源電力から外部駆動電源電力を生成し、蓄電電源部１３３が、二次電池１０の蓄電電源電力から蓄電駆動電源電力を生成する。ＣＰＵ１０１は、それぞれ独立して機能動作するＩ／Ｆ１０７ａ、１０７ｂ、１０７ｃ等の機能実行手段の動作／非動作を検出し、切替／充電部１３２が、外部駆動電源電力と蓄電駆動電源電力を選択的に駆動電源電力として前記機能実行手段に供給する。ＣＰＵ１０１は、機能実行手段の動作／非動作の検出結果及び切替／充電部１３２の選択状態に基づいて、スイッチＳＷａ、ＳＷｂ、ＳＷｃによる各機能実行手段への駆動電源電力の供給／供給遮断を制御する。【選択図】          図５
2015131446.tif 000002
【特許請求の範囲】
【請求項１】
それぞれ独立して機能動作する複数の機能実行手段と、
外部電源電力から前記機能実行手段が使用する外部駆動電源電力を生成する外部電源生成手段と、
蓄電電源電力から前記機能実行手段が使用する蓄電駆動電源電力を生成する蓄電電源生成手段と、
前記各機能実行手段の動作／非動作を検出する動作検出手段と、
前記外部駆動電源電力と前記蓄電駆動電源電力を選択的に駆動電源電力として前記機能実行手段に供給する電源選択手段と、
前記各機能実行手段に対して独立して前記駆動電源電力の供給／供給遮断を行う電源供給制御手段と、
前記動作検出手段の検出結果及び前記電源選択手段の選択状態に基づいて、前記電源供給制御手段による前記各機能実行手段への前記駆動電源電力の供給／供給遮断を制御する制御手段と、
を備えていることを特徴とする電気機器。
【請求項２】
前記制御手段は、
前記電源選択手段が前記駆動電源電力として前記蓄電駆動電源電力を選択していると、前記動作検出手段が非動作を検出している前記機能実行手段への該駆動電源電力の供給を、前記電源供給制御手段に遮断させることを特徴とする請求項１記載の電気機器。
【請求項３】
前記電気機器は、
前記蓄電電源手段の蓄電電源電力の蓄電残量を検出する蓄電残量検出手段を、さらに備え、
前記制御手段は、
前記電源選択手段が前記駆動電源電力として前記蓄電駆動電源電力を選択しており、前記蓄電残量が、所定の閾値蓄電残量以下のときに、前記動作検出手段が非動作を検出している前記機能実行手段への該駆動電源電力の供給を、前記電源供給制御手段に遮断させることを特徴とする請求項２記載の電気機器。
【請求項４】
前記電気機器は、
前記機能実行手段が処理する動作処理量を検出する処理量検出手段を、さらに備え、
前記制御手段は、
前記電源選択手段が前記駆動電源電力として前記蓄電駆動電源電力を選択しており、前記動作処理量が所定の閾値処理量を超えていると、前記動作検出手段が非動作を検出している前記機能実行手段への該駆動電源電力の供給を、前記電源供給制御手段に遮断させることを特徴とする請求項１から請求項３のいずれかに記載の電気機器。
【請求項５】
前記機能実行手段は、
それぞれ独立して通信を行う通信インターフェイスであることを特徴とする請求項１から請求項４のいずれかに記載の電気機器。
【請求項６】
前記電気機器は、
複数の前記機能実行手段を使用して、画像データに基づいて、被記録媒体に画像を形成する画像形成装置であることを特徴とする請求項１から請求項５のいずれかに記載の電気機器。
【請求項７】
前記電気機器は、
それぞれ独立して画像データの通信を行う通信インターフェイスを前記機能実行手段として有するとともに、該画像データに対して種々の画像処理を施す画像処理手段を前記機能実行手段として有する画像処理装置であることを特徴とする請求項１から請求項５のいずれかに記載の電気機器。
【請求項８】
外部電源電力から外部駆動電源電力を生成する外部電源生成処理ステップと、
蓄電電源電力から蓄電駆動電源電力を生成する蓄電電源生成処理ステップと、
それぞれ独立して機能動作する複数の機能実行手段の動作／非動作を検出する動作検出処理ステップと、
前記外部駆動電源電力と前記蓄電駆動電源電力を選択的に駆動電源電力として前記機能実行手段に供給する電源選択処理ステップと、
前記各機能実行手段に対して独立して前記駆動電源電力の供給／供給遮断を行う電源供給制御処理ステップと、
前記動作検出処理ステップでの検出結果及び前記電源選択処理ステップでの選択状態に基づいて、前記電源供給制御処理ステップにおける前記各機能実行手段への前記駆動電源電力の供給／供給遮断を制御する制御処理ステップと、
を有することを特徴とする電源制御方法。
【請求項９】
制御プロセッサに、
外部電源電力から外部駆動電源電力を生成する外部電源生成処理と、
蓄電電源電力から蓄電駆動電源電力を生成する蓄電電源生成処理と、
それぞれ独立して機能動作する複数の機能実行手段の動作／非動作を検出する動作検出処理と、
前記外部駆動電源電力と前記蓄電駆動電源電力を選択的に駆動電源電力として前記機能実行手段に供給する電源選択処理と、
前記各機能実行手段に対して独立して前記駆動電源電力の供給／供給遮断を行う電源供給制御処理と、
前記動作検出処理での検出結果及び前記電源選択処理での選択状態に基づいて、前記電源供給制御処理における前記各機能実行手段への前記駆動電源電力の供給／供給遮断を制御する制御処理と、
を実行させることを特徴とする電源制御プログラム。
【発明の詳細な説明】
【技術分野】
【０００１】
本発明は、電気機器、電源制御方法及び電源制御プログラムに関し、詳細には、動作性能を維持しつつ消費電力を削減する電気機器、電源制御方法及び電源制御プログラムに関する。
【背景技術】
【０００２】
プリンタ装置、複合装置、スキャナ装置、パーソナルコンピュータ等の電気機器は、近年、蓄電電源部を搭載し、該蓄電電源部の蓄電電源電力を利用して各種動作を行う蓄電駆動型電気機器がある。
【０００３】
蓄電駆動型電気機器は、蓄電電源部の蓄電電力を駆動電源電力として駆動する場合と、外部電源電力を駆動電源電力として駆動する場合とがあり、外部電源電力が供給されているときには、該外部電源電力を利用して、電池電源部の蓄電池を充電している。
【０００４】
蓄電駆動型電気機器は、蓄電電力を駆動電源電力として動作しているときの動作可能時間を長くすることが重要な課題となっている。
【０００５】
そして、従来、ＡＣ電源あるいはバッテリ電源によって電力供給が可能な記録装置において、前記記録装置への電源供給がＡＣ電源かバッテリ電源のどちらで行われているかを検出するための電源供給源検出手段を有しており、前記電源供給源検出手段にて電源供給がＡＣ電源から行われていると判断した場合には通常の印字動作を行うが、バッテリ電源から行われていると判断した場合には、前記記録装置は待機時、印字動作時を含む全ての動作において前記記録装置が消費する電力低減のための低消費電力制御を行う技術が提案されている（特許文献１参照）。また、この従来技術では、電力低減のための低消費電力制御を、システム制御部の内部動作クロック周波数を通常周波数から低周波数に切り替えることが提案されている。
【発明の概要】
【発明が解決しようとする課題】
【０００６】
しかしながら、上記公報記載の従来技術にあっては、蓄電電力動作時における消費電力を低減するために、内部動作クロック周波数を低周波数に切り替えている。したがって、内部動作クロック周波数を低周波数に切り替えると、電気機器の動作性能が低下し、利用性が悪化するという問題があった。
【０００７】
そこで、本発明は、動作性能の低下を抑制しつつ、消費電力を削減することを目的としている。
【課題を解決するための手段】
【０００８】
上記目的を達成するために、請求項１記載の電気機器は、それぞれ独立して機能動作する複数の機能実行手段と、外部電源電力から前記機能実行手段が使用する外部駆動電源電力を生成する外部電源生成手段と、蓄電電源電力から前記機能実行手段が使用する蓄電駆動電源電力を生成する蓄電電源生成手段と、前記各機能実行手段の動作／非動作を検出する動作検出手段と、前記外部駆動電源電力と前記蓄電駆動電源電力を選択的に駆動電源電力として前記機能実行手段に供給する電源選択手段と、前記各機能実行手段に対して独立して前記駆動電源電力の供給／供給遮断を行う電源供給制御手段と、前記動作検出手段の検出結果及び前記電源選択手段の選択状態に基づいて、前記電源供給制御手段による前記各機能実行手段への前記駆動電源電力の供給／供給遮断を制御する制御手段と、を備えていることを特徴としている。
【発明の効果】
【０００９】
本発明によれば、動作性能の低下を抑制しつつ、消費電力を削減することができる。
【図面の簡単な説明】
【００１０】
【図１】本発明の一実施例を適用した複合装置の外観斜視図。
【図２】複合装置の要部平面図。
【図３】複合装置の要部正面概略構成図。
【図４】複合装置のブロック構成図。
【図５】複合装置の要部回路構成図。
【図６】電源状態に基づく電源制御処理の説明図。
【図７】電源状態と蓄電残量に基づく電源制御処理の説明図。
【発明を実施するための形態】
【００１１】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１２】
図１〜図７は、本発明の電気機器、電源制御方法及び電源制御プログラムの一実施例を示す図であり、図１は、本発明の電気機器、電源制御方法及び電源制御プログラムの一実施例を適用した複合装置１の外観斜視図である。
【００１３】
図１において、複合装置（電気機器、画像形成装置、画像処理装置）１は、本体筐体２の上部に、スキャナ部３が配設され、本体筐体２内に、プリンタ部４、給紙部５、排紙部６及びインクカートリッジ収納部７等が設けられている。また、複合装置１は、本体筐体２の上部前面に、操作表示部８が設けられており、操作表示部８には、各種キー８ａが設けられているとともに、ディスプレイ８ｂが設けられている。
【００１４】
スキャナ部３としては、例えば、光電変換素子としてＣＣＤ(Charge Coupled Device)またはＣＭＯＳ（Complementary Metal Oxide Semiconductor ）を用いたスキャナが用いられており、原稿を走査して、該原稿の画像を読み取るという画像処理を行う。プリンタ部４は、例えば、インクジェット方式のプリンタ等が用いられている。プリンタ部４は、スキャナ部３の読み取った原稿の画像データやコンピュータ等の外部のホスト装置ＨＳ（図４参照）から有線または無線のネットワークを介して送信されてきた画像データに基づいて、給紙部５から送られてきた用紙に画像を形成して、排紙部６へ排出するという画像処理を行う。
【００１５】
複合装置１は、本体筐体２の前面側に、開閉カバー９が設けられており、開閉カバー９の本体筐体２内には、二次電池１０が取り替え可能な状態で収納されている。
【００１６】
複合装置１は、本体筐体２の前面であって、開閉カバー９よりも上部には、二次電池１０の充電量を表示する充電量通知部１１が設けられている。充電量通知部１１は、例えば、複数のＬＥＤ（Light Emitting Diode）が横方向に並べて配設されており、該ＬＥＤの点灯数等によって、二次電池１０の充電量を通知する。
【００１７】
複合装置１は、図２及び図３に示すように、フレーム２１を構成する左右の側板２１ａ、２１ｂに、ガイドロッド２２とステー２３が、主走査方向に掛け渡されている。ガイドロッド２２及びステー２３（図３参照）は、キャリッジ２４を主走査方向に移動可能に支持している。
【００１８】
キャリッジ２４は、主走査モータ１２１（図４参照）によって図示しないタイミングベルトを介して、図２に両矢印で示す主走査方向に移動される。
【００１９】
キャリッジ２４は、記録ヘッド２５を搭載しており、記録ヘッド２５は、イエロー（Ｙ）、シアン（Ｃ）、マゼンタ（Ｍ）、ブラック（Ｋ）の各色のインク滴を吐出する４個の液滴吐出ヘッド２５Ｙ、２５Ｃ、２５Ｍ、２５Ｋを備えている。各液滴吐出ヘッド２５Ｙ、２５Ｃ、２５Ｍ、２５Ｋは、それぞれ主走査方向と交叉する方向に配列されたインク吐出口を備えている。各液滴吐出ヘッド２５Ｙ、２５Ｃ、２５Ｍ、２５Ｋは、インク吐出口（インクノズル）からインク滴を下方の用紙Ｐに向かって吐出する。
【００２０】
なお、記録ヘッド２５は、液滴を吐出するための圧力を発生する圧力発生方法としては、各種の方法のものを用いることができる。例えば、記録ヘッド２５は、圧電素子を用いた圧電アクチュエータ、発熱抵抗体等の電気熱変換素子を用いて液体の膜沸騰による相変化を利用するサーマルアクチュエータ、温度変化による金属相変化を用いた形状記憶合金アクチュエータ、静電力を用いる静電アクチュエータ等を用いることができる。
【００２１】
なお、複合装置１は、インク滴の吐出において、全インク吐出口を同時に駆動させる以外に、時間的に分割して駆動させてもよい。すなわち、全インク吐出口を同時に駆動させる場合には、各全インク吐出口間のクロストークの影響による記録品位の低下や、一時的に大電流が必要になることにより電源の大容量化などの不利益が生じる場合がある。ところが、時分割駆動すると、これらの不利益を避けることができる。
【００２２】
このキャリッジ２４は、記録ヘッド２５の各インク吐出口を駆動させるためのドライバＩＣ等のヘッドドライバ２６（図４参照）を搭載しており、制御基板１００（図４参照）との間でハーネス（フレキシブルプリントケーブル）２７を介して接続されている。
【００２３】
また、キャリッジ２４は、記録ヘッド２５に各色のインクを供給するための各色のサブタンク２８を搭載している。各色のサブタンク２８は、各色のインク供給チューブ２９を介して、インクカートリッジ収納部７に収納されている各色のインクカートリッジ３０から各色のインクが補充供給される。なお、インクカートリッジ収納部７は、インクカートリッジ３０内のインクを送液するための供給ポンプユニット（図示略）を備えている。インク供給チューブ２９は、這い回しの途中でフレーム２１を構成する後板２１ｃに取り付けられている係止部材３１によって保持されている。
【００２４】
複合装置１は、図３に示すように、給紙部５が、用紙積載部４１から用紙Ｐを１枚ずつ分離給送する給紙頃（半月コロ）４２及び該給紙コロ４２に対向して配置されていて摩擦係数の大きな材質からなる分離パッド４３を備えている。給紙部５は、分離パッド４３が給紙コロ４２側に付勢されており、給紙コロ４２が回転することで、給紙部５の用紙積載部４１上に積載されている最上段の用紙Ｐを送り出す。
【００２５】
給紙部５は、さらに、ガイド部材４４、カウンタローラ４５、搬送ガイド部材４６、先端加圧コロ４７を有する押さえ部材４８、搬送ベルト４９、搬送ベルト４９が掛け渡されている搬送ローラ５０とテンションローラ５１等を備えている。給紙部５は、用紙積載部４１から送り出された用紙Ｐを、ガイド部材４４、カウンタローラ４５、搬送ガイド部材４６及び先端加圧コロ４７を有する押さえ部材４８で、搬送ベルト４９上に搬送する。
【００２６】
搬送ベルト４９は、無端状ベルトであり、搬送ローラ５０とテンションローラ５１との間に掛け渡されて、図２に示すベルト搬送方向（副走査方向）に周回搬送される。搬送ベルト４９は、例えば、抵抗制御を行っていない純粋な厚さ４０μｍ程度のＥＴＦＥピュア材等の樹脂材で形成された用紙吸着面である表層と、表層と同材質でカーボンによる抵抗制御が行われている裏層（中抵抗層、アース層）とを有している。
【００２７】
搬送ベルト４９は、搬送ローラ５０近傍に配置されている帯電ローラ５２によって、その表面が帯電され、用紙Ｐを吸着して搬送する。なお、搬送ローラ５０は、接地されているとともに、搬送ベルト４９の中抵抗層（裏層）と接触配置され、アースローラの役目も担っている。
【００２８】
そして、搬送ベルト４９は、副走査モータ１２３（図４参照）によって搬送ローラ５０が回転駆動されることで、図２に示すベルト搬送方向（副走査方向）に周回搬送される。
【００２９】
複合装置１は、キャリッジ２４と対向する状態で、搬送ベルト４９の裏側に、記録ヘッド２５による印字領域に対応してガイド部材５３が配置されている。ガイド部材５３は、上面が搬送ベルト４９を支持する２つのローラ（搬送ローラ５０とテンションローラ５１）の接線よりも記録ヘッド２５側に突出する状態で配置され、搬送ベルト４９の高精度な平面性を維持している。
【００３０】
複合装置１は、排紙部６として、テンションローラ５１近傍に、搬送ベルト４９から用紙Ｐを分離するための分離爪６１と、排紙ローラ６２及び排紙コロ６３を備えており、排紙ローラ６２の下方に排紙トレイ６４を備えている。排紙部６は、搬送ベルト４９によって、画像の形成された用紙Ｐがテンションローラ５１まで運ばれてくると、分離爪６１によって搬送ベルト４９から用紙Ｐを分離させて、排紙コロ６３及び排紙ローラ６２によって用紙Ｐを排紙トレイ６４上に排出させる。
【００３１】
また、装置本体１は、その背面部に、両面ユニット７１が着脱自在に装着されている。両面ユニット７１は、搬送ベルト４９の逆方向回転で戻される画像形成済みの用紙Ｐを取り込んで反転させて、再度、カウンタローラ４５と搬送ベルト４９との間に給紙する。この両面ユニット７１の上面は、用紙Ｐを手差しで給紙するための手差しトレイ７２となっている。
【００３２】
そして、複合装置１は、図２に示すように、キャリッジ２４の走査方向における一方側の非印字領域に、記録ヘッド２５のインク吐出口の状態を維持して、回復するための維持回復機構８１が配置されている。維持回復機構８１は、記録ヘッド２５の各インク吐出口面をキャピングするキャップ８２、インク吐出口面をワイピングするワイパーブレード８３及び増粘した記録液を空吐出させたときの液滴を受ける空吐出受け８４等を備えている。
【００３３】
そして、維持回復機構８１による維持回復動作で生じる記録液の廃液、キャップ８２に排出されたインク、あるいはワイパーブレード８３に付着してワイパークリーナで除去されたインク、空吐出受け８４に空吐出されたインクは図示しない廃液タンクに排出されて収容される。
【００３４】
また、複合装置１は、図２に示すように、キャリッジ２４の主走査方向の維持回復機構８１とは反対側の非印字領域に、記録中等に増粘した記録液を吐出させる空吐出を行うときの液滴を受ける空吐出受け８４が配置されている。
【００３５】
複合装置１は、キャリッジ２４を主走査方向に移動させながら画像信号に応じて記録ヘッド２５を駆動して、停止している用紙Ｐにインク滴を吐出して、所定行数分の画像を記録する。複合装置１は、所定行数分の画像記録を行うと、用紙Ｐを該所定行数分搬送した後、次の所定行数分の画像の記録を行う。複合装置１は、記録終了信号または用紙Ｐの後端が記録領域に到達した信号を受けると、記録動作を終了して、用紙Ｐを排紙トレイ６４に排出する。
【００３６】
また、複合装置１は、印字（記録）待機中においては、キャリッジ２４を維持回復機構８１側に移動させて、キャップ８２を記録ヘッド２５にキャッピングさせ、インク吐出口を湿潤状態に保って、インク乾燥による吐出不良を防止する。さらに、複合装置１は、キャップ８２で記録ヘッド２５をキャッピングした状態で、図示しない吸引ポンプによってインク吐出口から記録液を吸引し、増粘した記録液や気泡を排出する回復動作を行う。また、複合装置１は、記録開始前、記録途中などに記録と関係しないインクを吐出する空吐出動作を行うことで、記録ヘッド２５の安定した吐出性能を維持する。
【００３７】
そして、複合装置１は、本体筐体２の内部後方側に、図４に示す制御基板１００が収納されている。制御基板１００は、ＣＰＵ（Central Processing Unit ）１０１、ＲＯＭ（Read Only Memory）１０２、ＲＡＭ（Random Access Memory）１０３、ＮＶＲＡＭ（Non-Volatile Random Access Memory）１０４、ＡＳＩＣ（Application Specific Integrated Circuit）１０５、Ｉ／Ｏ（input／output）１０６、ホストＩ／Ｆ（インターフェイス）１０７、印刷制御部１０８、主走査モータ駆動部１０９、ＡＣバイアス供給部１１０及び副走査モータ駆動部１１１等が搭載されている。制御基板１００上の各部１０１〜１１１は、バス１１２により接続されている。また、複合装置１は、図４に示すように、主走査モータ１２１、リニアエンコーダ１２２、副走査モータ１２３及びホイールエンコーダ１２４等を備えている。
【００３８】
主走査モータ１２１は、回転駆動することで、キャリッジ２４を、図示しないタイミングベルトを介して、図２に両矢印で示す主走査方向に移動させる。
【００３９】
リニアエンコーダ１２２は、主走査モータ１２１の回転を検出して、検出結果をＩ／Ｏ１０６を介してＣＰＵ１０１に出力する。
【００４０】
副走査モータ１２３は、回転駆動することで、搬送ベルト４９を、図２に示すベルト搬送方向（副走査方向）に周回搬送させる。
【００４１】
ホイールエンコーダ１２４は、副走査モータ１２３の回転を検出して、Ｉ／Ｏ１０６を介してＣＰＵ１０１に出力する。
【００４２】
ホストＩ／Ｆ１０７は、ＵＳＢ（Universal Serial Bus）、ＬＡＮ（Local Area Network）等を用いてコンピュータ等のホスト装置ＨＳとの間で、ＣＰＵ１０１の制御下でデータを送受する。
【００４３】
ＲＯＭ１０２は、複合装置１としての基本プログラムや本発明の電源制御プログラム及びシステムデータや該電源制御処理に必要な各種データを格納している。特に、ＲＯＭ１０２は、記録ヘッド２５の駆動パルスのドットパターンデータ、画像出力のためのフォントデータ等を格納している。
【００４４】
ＲＡＭ１０３は、ＣＰＵ１０１のワークメモリとして利用され、ＣＰＵ１０１の処理に必要な各種データを記憶する。
【００４５】
ＮＶＲＡＭ１０４は、一般的に複合装置１の各機能における初期設定値を格納する他、ＣＰＵ１０１の制御下における複合装置１の動作に必要な各種データを記憶する。ＮＶＲＡＭ１０４は、特に、本発明の電源制御方法を実行するのに必要な各種データを記憶する。
【００４６】
ＣＰＵ（動作検出手段、制御手段、処理量検出手段）１０１は、ＲＯＭ１０２内のプログラムに基づいて、複合装置１の各部を制御して、複合装置１としての基本処理を実行するとともに、本発明の電源制御方法を実行する。
【００４７】
すなわち、複合装置１は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＳＤ（Secure Digital）カード、ＭＯ（Magneto-Optical Disc）等のコンピュータが読み取り可能な記録媒体に記録されている本発明の電源制御方法を実行する電源制御プログラムを読み込んでＲＯＭ１０２等に導入することで、後述する動作性能の低下を抑制しつつ、蓄電電源手段である蓄電電源部１３３（図５参照）の二次電池１０の消費電力を削減する電源制御方法を実行する電気機器としての複合装置として構築されている。この電源制御プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００４８】
具体的には、ＣＰＵ１０１は、後述する各機能実行手段の動作／非動作を検出する動作検出処理を行い、動作検出手段として機能する。また、ＣＰＵ１０１は、上記動作検出手段としての検出結果及び、駆動電源電力として外部駆動電源電力と蓄電電源電力のいずれが選択されているかの選択状態に基づいて、後述する電源供給制御手段による各機能実行手段への該駆動電源電力の供給／供給遮断を制御する制御処理を行い、制御手段として機能している。さらに、ＣＰＵ１０１は、後述するように、複合装置１における動作処理の処理量、例えば、印刷処理における印刷データのデータ量、すなわち、機能実行手段が処理する動作処理量を検出する処理量検出処理を行い、処理量検出手段として機能している。
【００４９】
ＡＳＩＣ１０５は、ＲＡＭ１０３を利用して、画像データに対する各種信号処理や並べ替え等の各種画像処理を行って、記録ヘッド２５の駆動データとして印刷制御部１０８に出力する。また、ＡＳＩＣ１０５は、複合装置１全体を制御するための入出力信号を処理する。
【００５０】
ホストＩ／Ｆ１０７には、複合装置１に印刷データ（画像データ）を送って複合装置１に印刷（画像形成）を行わせるパーソナルコンピュータ等のホスト装置ＨＳが、専用線、ＵＳＢ（Universal Serial Bus）ケーブル、有線ＬＡＮ（Local Area Network）、無線ＬＡＮ等で接続される。ホスト装置ＨＳは、その搭載するプリンタドライバによって画像データ及び制御信号を生成して、ホストＩ／Ｆ１０７に転送する。
【００５１】
印刷制御部１０８は、駆動データに基づいてヘッドドライバ２６の駆動を制御し、ヘッドドライバ２６は、印刷制御部１０８の制御下で、各記録ヘッド２５のインク吐出口から画像データに対応したインク滴を吐出させて用紙Ｐ上に画像を形成する。すなわち、印刷制御部１０８は、記録ヘッド２５を駆動するための駆動波形を生成するとともに、記録ヘッド２５の圧力発生部（図示略）を選択駆動させる画像データ及びそれに伴う各種データをヘッドドライバ２６に出力する。ヘッドドライバ２６は、この画像データ及び各種データに基づいて、各記録ヘッド２５のインク吐出口の動作を制御して、インク滴の吐出を行う。なお、複合装置１は、画像出力するためのドットパターンデータの生成を、例えば、ＲＯＭ１０２にフォントデータを格納して行ってもよいし、ホスト装置ＨＳ側のプリンタドライバで画像データをビットマップデータに展開して、複合装置１へ転送するようにしてもよいが、本実施例では、プリンタドライバで行うものとして説明している。
【００５２】
印刷制御部１０８は、具体的には、駆動波形生成を、ＲＯＭ１０２に格納されてＣＰＵ１０１によって読み出される駆動パルスのパターンデータをＤ／Ａ変換するＤ／Ａ変換器及び増幅器等を備え、１つの駆動パルスあるいは複数の駆動パルスで構成される駆動波形をヘッドドライバ２６に対して出力する。ヘッドドライバ２６は、シリアルに入力される記録ヘッド２５の所定行数分に相当する画像データ（ドットパターンデータ）に基づいて、印刷制御部１０８から与えられる駆動波形を構成する駆動パルスを選択的に記録ヘッド２５の圧力発生部に対して印加することで記録ヘッド２５を駆動する。なお、このヘッドドライバ２６は、例えば、クロック信号及び画像データであるシリアルデータを入力するシフトレジスタと、シフトレジスタのレジスト値をラッチ信号でラッチするラッチ回路と、ラッチ回路の出力値をレベル変化するレベル変換回路（レベルシフタ）と、このレベルシフタでオン／オフが制御されるアナログスイッチアレイ等を備えている。ヘッドドライバ２６は、アナログスイッチアレイのオン／オフを制御することで、印刷制御部１０８からの駆動波形に含まれる所要の駆動パルスを選択的に記録ヘッド２５の圧力発生部に印加する。
【００５３】
主走査モータ駆動部１０９は、ＣＰＵ１０１の制御下で、主走査モータ１２１の駆動を制御して、キャリッジ２４の主走査方向の移動を制御する。
【００５４】
リニアエンコーダ１２２は、主走査モータ１２１の回転を検出して、検出結果をＩ／Ｏ１０６を介してＣＰＵ１０１に出力する。
【００５５】
ＡＣバイアス供給部１１０は、帯電ローラ５２に対してプラス出力とマイナス出力とが交互に繰り返す交番電圧を印加する。帯電ローラ５２は、交番電圧によって、搬送ベルト４９に、交番する帯電電圧パターン、すなわち、周回方向である副走査方向に、プラスとマイナスが所定の幅で帯状に交互に帯電させる。搬送ベルト４９は、このプラス、マイナス交互に帯電していることから、搬送ベルト４９上に用紙Ｐが給送されてきた用紙Ｐを搬送ベルト４９に吸着させ、周回移動によって、用紙Ｐを副走査方向に搬送する。
【００５６】
副走査モータ駆動部１１１は、ＣＰＵ１０１の制御下で、副走査モータ１２３の駆動を制御して、搬送ベルト４９の搬送を制御し、ホイールエンコーダ１２４は、副走査モータ１２３の回転を検出して、Ｉ／Ｏ１０６を介してＣＰＵ１０１に出力する。
【００５７】
操作表示部８は、各種操作キー８ａ及びディスプレイ８ｂ（例えば、液晶ディスプレイ等）を備えている。操作表示部８は、操作キー８ａからは複合装置１を動作させるのに必要な各種操作が行われ、ディスプレイ８ｂには、操作キー８ａからの操作内容や複合装置１からオペレータに通知する各種情報を表示する。特に、操作表示部８は、本発明の電源制御処理において必要な各種情報を、ＣＰＵ１０１の制御下でディスプレイ８ｂに表示出力等を行い、また、操作キー８ａやディスプレイ８ｂのタッチパネルから入力された各種指示操作内容をＣＰＵ１０１に通知する。
【００５８】
そして、複合装置１は、図５に示すように、電源供給部１３０を備えており、電源供給部１３０は、外部電源部１３１、切替／充電部１３２及び二次電池１０を備えた蓄電電源部１３３等を備えている。
【００５９】
また、複合装置１は、そのホストＩ／Ｆ１０７が、例えば、図５に示すように、機能実行手段として、ＵＳＢ  Ｉ／Ｆ１０７ａ、有線ＬＡＮ  Ｉ／Ｆ１０７ｂ及び無線ＬＡＮ  Ｉ／Ｆ１０７ｃ等の複数のＩ／Ｆ（通信インターフェイス）を備えている。各Ｉ／Ｆ１０７ａ、１０７ｂ、１０７ｃは、それぞれスイッチＳＷａ、ＳＷｂ、ＳＷｃを介して電源供給部１３０に接続されており、電源供給部１３０からスイッチＳＷａ、ＳＷｂ、ＳＷｃを介して駆動電源電力が供給される。なお、ホストＩ／Ｆ１０７としては、上記Ｉ／Ｆ１０７ａ、１０７ｂ、１０７ｃに限るものではない。
【００６０】
外部電源部（外部電源生成手段）１３１は、ＡＣ１００Ｖの商用電源電力（外部電源電力）のコンセントに挿入されるプラグが接続されている電源コードが接続されている。外部電源部１３１は、例えば、ダイオードブリッジ等を用いた通常の全波整流回路であり、ＡＣ１００Ｖの商用交流電源電力（外部電源電力）から、整流、変圧して直流の外部駆動電源電力を生成して、切替／充電部１３２へ供給する外部電源生成処理を行う。
【００６１】
蓄電電源部（蓄電電源生成手段）１３３は、二次電池１０及び電圧調整回路等を備えており、二次電池１０は、例えば、リチウムイオン電池、ニッケル水素電池等が用いられている。蓄電電源部１３３は、充電時には、切替／充電部１３２から供給される充電電力の電圧調整を電圧調整回路で行って、二次電池１０に蓄電する。蓄電電源部１３３は、放電時には、二次電池１０の蓄電する蓄電電力を電圧調整回路で電圧調整して、蓄電駆動電源電力を生成して切替／充電部１３２に供給する蓄電電源生成処理を行う。
【００６２】
切替／充電部（電源選択手段）１３２は、スイッチＳＷａ、ＳＷｂ、ＳＷｃを介してＩ／Ｆ１０７ａ、１０７ｂ、１０７ｃに接続されているとともに、蓄電電源部１３３が離接可能に接続される。
【００６３】
切替／充電部１３２は、例えば、ＦＥＴ（Field Effect Transistor ）、制御ＩＣ等を備えている。切替／充電部１３２は、制御基板１００のＡＳＩＣ１０５によって、制御ＩＣを制御することで、スイッチＳＷａ、ＳＷｂ、ＳＷｃ等への複合装置１の各部への駆動電源電力の供給源を、外部電源部１３１と蓄電電源部１３３とに切り替える電源選択処理を行う。また、切替／充電部１３２は、外部電源部１３１からの外部駆動電源電力の供給／非供給状態を検出し、検出結果を示す外部電源状態信号をＣＰＵ１０１へ出力する。ＣＰＵ１０１は、外部電源状態信号に基づいて、Ｉ／Ｆ１０７ａ、１０７ｂ、１０７ｃへの駆動電源電力の供給源を、外部電源部１３１と蓄電電源部１３３とに切り替える。さらに、切替／充電部１３２は、外部電源部１３１から供給される外部駆動電源電力によって、蓄電電源部１３３の二次電池１０の充電を行うとともに、制御基板１００のＣＰＵ１０１からの制御信号に基づいて、二次電池１０への充電制御を行う。なお、電源供給部１３０は、駆動電源電力を、切替／充電部１３２を介して、負荷（機能実行手段）としてのＩ／Ｆ１０７ａ、１０７ｂ、１０７ｃだけでなく、制御基板１００及びその他の複合装置１の必要な各部へも供給する。
【００６４】
スイッチ（電源供給制御手段）ＳＷａ、ＳＷｂ、ＳＷｃは、それぞれ独立して、ＣＰＵ１０１の制御下でＯＮ／ＯＦＦ動作し、電源供給部１３０と、ＵＳＢ  Ｉ／Ｆ１０７ａ、有線ＬＡＮ  Ｉ／Ｆ１０７ｂ、無線ＬＡＮ  Ｉ／Ｆ１０７ｃとの接続／遮断を行う。すなわち、ＣＰＵ１０１は、各スイッチＳＷａ、ＳＷｂ、ＳＷｃに、電源制御信号を出力することで、各スイッチＳＷａ、ＳＷｂ、ＳＷｃをＯＮ／ＯＦＦ動作させ、電源供給部１３０から各Ｉ／Ｆ１０７ａ、１０７ｂ、１０７ｃへの駆動電源電力の供給／供給遮断を制御する電源供給制御処理を行う。
【００６５】
なお、ＵＳＢＩ／Ｆ１０７ａは、ＵＳＢケーブルによってホスト装置ＨＳ等が接続され、ＣＰＵ１０１の制御下で、ホスト装置ＨＳ等との間でデータや信号の授受を行う。有線ＬＡＮ  Ｉ／Ｆ１０７ｂは、ＬＡＮケーブルによってホスト装置ＨＳ等が接続され、ＣＰＵ１０１の制御下で、ホスト装置ＨＳ等との間でデータや信号の授受を行う。無線ＬＡＮ  Ｉ／Ｆ１０７ｃは、Ｂｌｕｅｔｏｏｔｈ(登録商標)、ｗｉｆｉ（wireless fidelity）等の無線によってホスト装置ＨＳ等が接続され、ＣＰＵ１０１の制御下で、ホスト装置ＨＳ等との間でデータや信号の授受を行う。これらＵＳＢ  Ｉ／Ｆ１０７ａ、有線ＬＡＮ  Ｉ／Ｆ１０７ｂ、無線ＬＡＮ  Ｉ／Ｆ１０７ｃは、電源供給部１３０から電源電力が供給されているときにのみ、動作してＩ／Ｆ処理を行う機能実行手段として機能している。
【００６６】
なお、複合装置１は、図示しないハードディスク等の大容量記憶部を備え、ホストＩ／Ｆ１０７を介して受信した画像データを、該大容量記憶部へ格納する受信データ格納処理を備えていてもよい。
【００６７】
また、本実施例の複合装置１は、外部電源部１３１を、電源供給部１３０内に備えているが、商用電源等のＡＣの外部電源電力から直流の外部駆動電源電力を生成するＡＣアダプタとして、外付けで構成されていてもよい。
【００６８】
なお、複合装置１は、上記スキャナ部３、プリンタ部４、給紙部５、排紙部６、制御基板１００等がそれぞれ独立して機能動作する機能実行手段として機能する。また、複合装置１は、細かくは、Ｉ／Ｆ１０７ａ、１０７ｂ、１０７ｃが、それぞれ独立して機能動作する機能実行手段として機能している。
【００６９】
次に、本実施例の作用を説明する。本実施例の複合装置１は、二次電池１０で駆動動作可能となっており、動作性能の低下を抑制しつつ、消費電力、特に、蓄電電源部１３３の二次電池１０の消費電力を削減する。
【００７０】
本実施例の複合装置１は、外部電源部１３１に外部電源電力が供給されているときには、切替／充電部１３２が、外部電源部１３１が該外部電源電力から生成した外部駆動電源電力を、複合装置１の各部、特に、スイッチＳＷａ、ＳＷｂ、ＳＷｃを介して各Ｉ／Ｆ１０７ａ、１０７ｂ、１０７ｃに駆動電源電力として供給する。
【００７１】
そして、複合装置１は、図６に示すように、ＣＰＵ１０１が、切替／充電部１３２に接続されている。切替／充電部１３２は、外部電源部１３１が該外部電源電力から生成した外部駆動電源電力を、負荷Ｌｄである各Ｉ／Ｆ１０７ａ、１０７ｂ、１０７ｃ、及び、制御基板１００やその他の複合装置１の各部へ駆動電源電力として供給しているか否かを通知する電源状態信号を、ＣＰＵ１０１へ出力する。すなわち、切替／充電部１３２は、負荷Ｌｄへ供給している駆動電源電力が、外部電源部１３１の生成する外部駆動電源電力であるか、蓄電電源部１３３が二次電池１０の蓄電電力から生成する蓄電駆動電源電力であるかを示す電源状態信号をＣＰＵ１０１へ出力する。ＣＰＵ１０１は、この電源状態信号に基づいて、外部電源電力が外部電源部１３１に供給されているか否かを判断する。
【００７２】
また、複合装置１は、外部電源電力が供給されているときには、外部電源部１３１からの外部駆動電源電力によって切替／充電部１３２を介して二次電池１０を充電することができる。
【００７３】
一方、複合装置１は、外部電源部１３１に外部電源電力が供給されていないときには、切替／充電部１３２が、蓄電電源部１３３が二次電池１０の蓄電電力から生成する蓄電駆動電源電力を駆動電源電力として、複合装置１の各部に供給し、各種動作を行う。特に、複合装置１は、切替／充電部１３２が、二次電池１０の蓄電電力から蓄電電源部１３３が生成する蓄電駆動電源電力を、スイッチＳＷａ、ＳＷｂ、ＳＷｃを介して各Ｉ／Ｆ１０７ａ、１０７ｂ、１０７ｃに駆動電源電力として供給する。
【００７４】
すなわち、複合装置１は、外部電源部１３１に外部電源電力が供給されているときには、その動作状況に応じて、該外部電源電力から生成された外部駆動電源電力を駆動電源電力として動作し、外部電源電力が供給されていないときには、二次電池１０の電池電力から生成された蓄電駆動電源電力を駆動電源電力として動作する。
【００７５】
したがって、複合装置１は、蓄電駆動電源電力を駆動電源電力として動作するときには、二次電池１０が放電され、蓄電電力量が減少する。
【００７６】
そこで、本実施例の複合装置１は、ホストＩ／Ｆ１０７であるＵＳＢＩ／Ｆ１０７ａ、有線ＬＡＮ  Ｉ／Ｆ１０７ｂ、無線ＬＡＮ  Ｉ／Ｆ１０７ｃが、それぞれ独立してＯＮ／ＯＦＦ動作するスイッチＳＷａ、ＳＷｂ、ＳＷｃを介して電源供給部１３０から駆動電源電力が供給される。
【００７７】
そして、複合装置１は、各スイッチＳＷａ、ＳＷｂ、ＳＷｃのＯＮ／ＯＦＦ動作を、ＣＰＵ１０１が制御可能となっており、ＣＰＵ１０１は、蓄電駆動電源電力を駆動電源電力として利用しているときに、後述する省電力処理を実行する。
【００７８】
ＣＰＵ１０１は、二次電池１０からの蓄電駆動電源電力を駆動電源電力として利用しているときには、待機時においては、全てのスイッチＳＷａ、ＳＷｂ、ＳＷｃをＯＮにする電源制御信号をスイッチＳＷａ、ＳＷｂ、ＳＷｃに出力する。この状態では、複合装置１は、全てのＩ／Ｆ１０７ａ、１０７ｂ、１０７ｃに、電源供給部１３０から蓄電駆動電源電力を駆動電源電力として供給し、いずれのＩ／Ｆ１０７ａ、１０７ｂ、１０７ｃに通信アクセスがあっても、受信可能な状態となっている。
【００７９】
この状態で、ＣＰＵ１０１は、１つのＩ／Ｆ１０７ａ、１０７ｂ、１０７ｃにホスト装置ＨＳから着信があったことを検出すると、着信のあったＩ／Ｆ１０７ａ、１０７ｂ、１０７ｃに対応するスイッチＳＷａ、ＳＷｂ、ＳＷｃのみＯＮとし、他のＩ／Ｆ１０７ａ、１０７ｂ、１０７ｃに対応するスイッチＳＷａ、ＳＷｂ、ＳＷｃをＯＦＦにする電源制御信号を出力する。スイッチＳＷａ、ＳＷｂ、ＳＷｃへ出力する。例えば、ＵＳＢ  Ｉ／Ｆ１０７ａに着信があると、ＣＰＵ１０１は、ＵＳＢ  Ｉ／Ｆ１０７ａに対応するスイッチＳＷａのみをＯＮにし、その他のＩ／Ｆ１０７ｂ、１０７ｃに対応するスイッチＳＷｂ、ＳＷｃをＯＦＦにする電源制御信号を出力する。
【００８０】
ＣＰＵ１０１は、着信のあったＩ／Ｆ１０７ａ、１０７ｂ、１０７ｃにおける通信処理が完了すると、ＯＦＦにしていたスイッチＳＷａ、ＳＷｂ、ＳＷｃを含めて全てのスイッチＳＷａ、ＳＷｂ、ＳＷｃをＯＮにする電源制御信号をスイッチＳＷａ、ＳＷｂ、ＳＷｃへ出力する。この状態では、全てのＩ／Ｆ１０７ａ、１０７ｂ、１０７ｃに、電源供給部１３０から電池駆動電源電力が駆動電源電力として供給され、いずれのＩ／Ｆ１０７ａ、１０７ｂ、１０７ｃに通信アクセスがあっても、受信可能な状態となっている。
【００８１】
したがって、複数のＩ／Ｆ１０７ａ、１０７ｂ、１０７ｃのうち、１つのＩ／Ｆ１０７ａ、１０７ｂ、１０７ｃが動作中においては、他のＩ／Ｆ１０７ａ、１０７ｂ、１０７ｃへの電源電力の供給を遮断することができる。
【００８２】
なお、上記説明においては、それぞれ独立して機能を実行する機能実行手段として、Ｉ／Ｆ１０７ａ、１０７ｂ、１０７ｃを、例に挙げて説明したが、機能実行手段としては、Ｉ／Ｆ１０７ａ、１０７ｂ、１０７ｃに限るものではない。例えば、複合装置１が、受信画像データを大容量記憶部へ格納する受信データ格納処理を行うときには、ＣＰＵ１０１は、受信データ格納処理に使用しない他の部分、例えば、プリンタ部４への通電を遮断してもよい。
【００８３】
また、本実施例の複合装置１は、図７に示すように、電源供給部１４０が、蓄電電源部１３３の二次電池１０の蓄電残量を検出する残量検出部（蓄電残量検出手段）１４１を備えて、該残量検出部１４１の検出する蓄電残量に基づいて、上記省電力処理の実行を制御してもよい。
【００８４】
すなわち、図７の場合、残量検出部１４１は、例えば、残量ゲージＩＣ（Integrated Circuit：集積回路）等が用いられ、切替／充電部１３２による二次電池１０への充電量と二次電池１０からの放電量を検出して、二次電池１０の蓄電残量を検出する。残量検出部１４１は、検出した二次電池１０の蓄電残量を蓄電残量信号として切替／充電部１３２へ出力する。
【００８５】
切替／充電部１３２は、上記電源状態信号をＣＰＵ１０１に出力するとともに、蓄電残量信号をＣＰＵ１０１へ出力する。
【００８６】
ＣＰＵ１０１は、電源状態信号が外部電源電力が供給されていないことを示しているときに、蓄電残量信号に基づいて、上記省電力処理の実行を制御する。具体的には、ＣＰＵ１０１は、予め設定されてＮＶＲＡＭ１０４に格納されている閾値蓄電残量と、蓄電残量信号の示す検出蓄電残量とを比較して、検出蓄電残量が閾値蓄電残量を超えていると、上記省電力処理の実行を停止する。ＣＰＵ１０１は、検出蓄電残量が閾値蓄電残量以下になると、上記省電力処理を実行する。
【００８７】
このようにすると、二次電池１０の蓄電残量が少なくなったときに、省電力処理を実行して、効率的に省電力を図ることができる。
【００８８】
さらに、ＣＰＵ１０１は、ホストＩ／Ｆ１０７の各Ｉ／Ｆ１０７ａ、１０７ｂ、１０７ｃでデータを受信して画像形成等のデータ処理を行う場合、該データ量（処理量）を検出して、該データ量が、予めＮＶＲＡＭ１０４に格納されている閾値データ量（閾値処理量）を超える場合に、上記省電力処理を実行するようにしてもよい。
【００８９】
この場合、ＣＰＵ１０１は、例えば、ホストＩ／Ｆ１０７を介して受信した印刷ジョブを解析して、そのデータ量を把握し、該データ量を閾値データ量と比較して、該データ量が該閾値データ量を超えていると、上記省電力処理を実行する。
【００９０】
このようにすると、データ処理に長時間を必要とする場合に、データ受信に使用するＩ／Ｆ１０７ａ、１０７ｂ、１０７ｃのみに駆動電源電力を供給し、他のＩ／Ｆ１０７ａ、１０７ｂ、１０７ｃに対しては駆動電源電力の供給を遮断する。その結果、より一層効率的に省電力を図ることができる。
【００９１】
このように、本実施例の複合装置１は、それぞれ独立して機能動作する複数のＩ／Ｆ１０７ａ、１０７ｂ、１０７ｃ等の機能実行手段と、外部電源電力から前記機能実行手段が使用する外部駆動電源電力を生成する外部電源部（外部電源生成手段）１３１と、蓄電電源電力から前記機能実行手段が使用する蓄電駆動電源電力を生成する蓄電電源部（蓄電電源生成手段）１３３と、前記各機能実行手段の動作／非動作を検出するＣＰＵ（動作検出手段）１０１と、前記外部駆動電源電力と前記蓄電駆動電源電力を選択的に駆動電源電力として前記機能実行手段に供給する切替／充電部（電源選択手段）１３２と、前記各機能実行手段に対して独立して前記駆動電源電力の供給／供給遮断を行うスイッチ（電源供給制御手段）ＳＷａ、ＳＷｂ、ＳＷｃと、前記動作検出手段としてのＣＰＵ１０１の検出結果及び切替／充電部１３２の選択状態に基づいて、スイッチＳＷａ、ＳＷｂ、ＳＷｃによる前記各機能実行手段への前記駆動電源電力の供給／供給遮断を制御するＣＰＵ（制御手段）１０１と、を備えている。
【００９２】
したがって、Ｉ／Ｆ１０７ａ、１０７ｂ、１０７ｃ等の機能実行手段へ供給している駆動電源電力の状態と該機能実行手段の動作状態に基づいて、該機能実行手段への該駆動電源電力の供給／供給遮断を制御することができる。その結果、機器である複合装置１の動作性能の低下を抑制しつつ、消費電力を削減することができる。
【００９３】
また、本実施例の複合装置１は、外部電源電力から外部駆動電源電力を生成する外部電源生成処理ステップと、蓄電電源電力から蓄電駆動電源電力を生成する蓄電電源生成処理ステップと、それぞれ独立して機能動作する複数のＩ／Ｆ１０７ａ、１０７ｂ、１０７ｃ等の動作／非動作を検出する動作検出処理ステップと、前記外部駆動電源電力と前記蓄電駆動電源電力を選択的に駆動電源電力として前記機能実行手段に供給する電源選択処理ステップと、前記各機能実行手段に対して独立して前記駆動電源電力の供給／供給遮断を行う電源供給制御処理ステップと、前記動作検出処理ステップでの検出結果及び前記電源選択処理ステップでの選択状態に基づいて、前記電源供給制御処理ステップにおける前記各機能実行手段への前記駆動電源電力の供給／供給遮断を制御する制御処理ステップと、を有する電源制御方法を実行している。
【００９４】
したがって、Ｉ／Ｆ１０７ａ、１０７ｂ、１０７ｃ等の機能実行手段へ供給している駆動電源電力の状態と該機能実行手段の動作状態に基づいて、該機能実行手段への該駆動電源電力の供給／供給遮断を制御することができる。その結果、機器である複合装置１の動作性能の低下を抑制しつつ、消費電力を削減することができる。
【００９５】
さらに、本実施例の複合装置１は、ＣＰＵ１０１等の制御プロセッサに、外部電源電力から外部駆動電源電力を生成する外部電源生成処理と、蓄電電源電力から蓄電駆動電源電力を生成する蓄電電源生成処理と、それぞれ独立して機能動作する複数のＩ／Ｆ１０７ａ、１０７ｂ、１０７ｃ等の機能実行手段の動作／非動作を検出する動作検出処理と、前記外部駆動電源電力と前記蓄電駆動電源電力を選択的に駆動電源電力として前記機能実行手段に供給する電源選択処理と、前記各機能実行手段に対して独立して前記駆動電源電力の供給／供給遮断を行う電源供給制御処理と、前記動作検出処理での検出結果及び前記電源選択処理での選択状態に基づいて、前記電源供給制御処理における前記各機能実行手段への前記駆動電源電力の供給／供給遮断を制御する制御処理と、を実行させる電源制御プログラムを搭載している。
【００９６】
また、本実施例の複合装置１は、前記制御手段としてのＣＰＵ１０１が、切替／充電部（電源選択手段）１３２が前記駆動電源電力として前記蓄電駆動電源電力を選択していると、非動作中である前記機能実行手段への該駆動電源電力の供給を、スイッチ（電源供給制御手段）ＳＷａ、ＳＷｂ、ＳＷｃに遮断させる。
【００９７】
したがって、動作中のスイッチＳＷａ、ＳＷｂ、ＳＷｃへのみ蓄電駆動電源電力を駆動電源電力として供給して、非動作中のＩ／Ｆ１０７ａ、１０７ｂ、１０７ｃ等の機能実行手段に対しては、駆動電源電力の供給を遮断することができる。その結果、機器である複合装置１の動作性能の低下を抑制しつつ、二次電池１０の消費電力を削減することができる。
【００９８】
さらに、本実施例の複合装置１は、前記蓄電電源部１３３の二次電池１０の蓄電電源電力の蓄電残量を検出する残量検出部（蓄電残量検出手段）１４１を、さらに備え、前記制御手段としてのＣＰＵ１０１が、前記切替／充電部（電源選択手段）１３２が前記駆動電源電力として前記蓄電駆動電源電力を選択しており、前記蓄電残量が、所定の閾値蓄電残量以下のときに、非動作中である前記機能実行手段への該駆動電源電力の供給を、スイッチ（電源供給制御手段）ＳＷａ、ＳＷｂ、ＳＷｃに遮断させる。
【００９９】
したがって、蓄電電源部１３３の二次電池１０の蓄電残量が閾値蓄電残量以下のときに、非動作中のＩ／Ｆ１０７ａ、１０７ｂ、１０７ｃ等の機能実行手段に対しては、駆動電源電力の供給を遮断することができる。その結果、機器である複合装置１の動作性能の低下を抑制しつつ、二次電池１０の消費電力をより一層効率的に削減することができる。
【０１００】
また、本実施例の複合装置１は、Ｉ／Ｆ１０７ａ、１０７ｂ、１０７ｃ等の機能実行手段が処理する動作処理量を検出するＣＰＵ（処理量検出手段）１０１を、さらに備え、前記制御手段としてのＣＰＵ１０１が、切替／充電部（電源選択手段）１３２が前記駆動電源電力として前記蓄電駆動電源電力を選択しており、前記動作処理量が所定の閾値処理量を超えていると、非動作中である前記機能実行手段への該駆動電源電力の供給を、スイッチ（電源供給制御手段）ＳＷａ、ＳＷｂ、ＳＷｃに遮断させる。
【０１０１】
したがって、長時間動作処理する場合に、非動作中のＩ／Ｆ１０７ａ、１０７ｂ、１０７ｃ等の機能実行手段に対しては、駆動電源電力の供給を遮断することができる。その結果、機器である複合装置１の動作性能の低下を抑制しつつ、二次電池１０の消費電力をより一層効率的に削減することができる。
【０１０２】
さらに、本実施例の複合装置１は、前記機能実行手段が、それぞれ独立して通信を行うＩ／Ｆ（通信インターフェイス）１０７ａ、１０７ｂ、１０７ｃである。
【０１０３】
したがって、個別に動作して通信を行うＩ／Ｆ１０７ａ、１０７ｂ、１０７ｃの１つが動作中であると、他のＩ／Ｆ１０７ａ、１０７ｂ、１０７ｃへの駆動電源電力の供給を遮断することができる。その結果、通信インターフェイスにおける消費電力を効率的に削減することができる。
【０１０４】
また、本実施例は、複数の前記機能実行手段を使用して、画像データに基づいて、被記録媒体に画像を形成する画像形成装置としての複合装置１に適用されている。
【０１０５】
したがって、画像形成装置としての複合装置１の動作性能の低下を抑制しつつ、消費電力を削減することができる。
【０１０６】
さらに、本実施例は、それぞれ独立して画像データの通信を行う通信インターフェイスであるＩ／Ｆ１０７ａ、１０７ｂ、１０７ｃを前記機能実行手段として有するとともに、該画像データに対して種々の画像処理を施すスキャナ部３、プリンタ部４、制御基板１００等の画像処理手段を前記機能実行手段として有する画像処理装置としての複合装置１に適用している。
【０１０７】
したがって、画像処理装置としての複合装置１の動作性能の低下を抑制しつつ、消費電力を削減することができる。
【０１０８】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【０１０９】
１  複合装置
２  本体筐体
３  スキャナ部
４  プリンタ部
５  給紙部
６  排紙部
７  インクカートリッジ収納部
８  操作表示部
８ａ  各種キー
８ｂ  ディスプレイ
９  開閉カバー
１０  二次電池
１１  充電量通知部
２１  フレーム
２１ａ、２１ｂ  側板
２１ｃ  後板
２２  ガイドロッド
２３  ステー
２４  キャリッジ
２５  記録ヘッド
２５Ｙ、２５Ｃ、２５Ｍ、２５Ｋ  液滴吐出ヘッド
２６  ヘッドドライバ
２７  ハーネス
２８  サブタンク
２９  インク供給チューブ
３０  インクカートリッジ
４１  用紙積載部
４２  給紙コロ
４３  分離パッド
４４  ガイド部材
４５  カウンタローラ
４６  搬送ガイド部材
４７  先端加圧コロ
４８  押さえ部材
４９  搬送ベルト
５０  搬送ローラ
５１  テンションローラ
５２  帯電ローラ
５３  ガイド部材
６１  分離爪
６２  排紙ローラ
６３  排紙コロ
６４  排紙トレイ
７１  両面ユニット
８１  維持回復機構
８２  キャップ
８３  ワイパーブレード
８４  空吐出受け
１００  制御基板
１０１  ＣＰＵ
１０２  ＲＯＭ
１０３  ＲＡＭ
１０４  ＮＶＲＡＭ
１０５  ＡＳＩＣ
１０６  Ｉ／Ｏ
１０７  ホストＩ／Ｆ
１０７ａ  ＵＳＢ  Ｉ／Ｆ
１０７ｂ  有線ＬＡＮ  Ｉ／Ｆ
１０７ｃ  無線ＬＡＮ  Ｉ／Ｆ
１０８  印刷制御部
１０９  主走査モータ駆動部
１１０  ＡＣバイアス供給部
１１１  副走査モータ駆動部
１１２  バス
１２１  主走査モータ
１２２  リニアエンコーダ
１２３  副走査モータ
１２４  ホイールエンコーダ
１３０  電源供給部
１３１  外部電源部
１３２  切替／充電部
１３３  蓄電電源部
１４０  電源供給部
１４１  残量検出部
Ｐ  用紙
ＨＳ  ホスト装置
ＳＷａ、ＳＷｂ、ＳＷｃ  スイッチ
【先行技術文献】
【特許文献】
【０１１０】
【特許文献１】特開２００６−２７００７号公報
【図１】
2015131446.tif 000003
【図２】
2015131446.tif 000004
【図３】
2015131446.tif 000005
【図４】
2015131446.tif 000006
【図５】
2015131446.tif 000007
【図６】
2015131446.tif 000008
【図７】
2015131446.tif 000009